(57)【要約】      （修正有）【課題】被保管物管理に対する信頼性が高い保管庫を提供すること。【解決手段】カード読取り手段２１と、該カード読取り手段２１が読取ったカードが開閉許可を有するものか否かを判断する開閉許可手段７２と、該開閉許可手段の許可を受けて、保管庫の扉を開放状態とする保管庫開閉手段１４とを備える保管庫において、個々の被保管物に接触式ＩＣチップが取り付けられ、接触式ＩＣチップに設けられた２つの端子と接触することにより、接触式ＩＣチップのデータを読み込むＩＣチップデータ読取り手段２８と、被保管物の有無を検出する被保管物有無検出手段１０５と、ＩＣチップデータ読取り手段２８が検出している被保管物と、被保管物有無検出手段１０５が検出している被保管物とが一致しないときに、接触式ＩＣチップの読み取り不良を判断するＩＣチップデータ読取り不良検出手段７３とを有する。【選択図】図１０
2007314348.tif 000002
【特許請求の範囲】
【請求項１】
被保管物を収納するものであって、カード読取り手段と、該カード読取り手段が読取ったカードが開閉許可を有するものか否かを判断する開閉許可手段と、該開閉許可手段の許可を受けて、保管庫の扉を開放状態とする保管庫開閉手段とを備える保管庫において、
前記個々の被保管物に接触式ＩＣチップが取り付けられ、
前記接触式ＩＣチップに設けられた２つの端子と接触することにより、前記接触式ＩＣチップのデータを読み込むＩＣチップデータ読取り手段と、
前記被保管物の有無を検出する被保管物有無検出手段と、
前記ＩＣチップデータ読取り手段が検出している被保管物と、前記被保管物有無検出手段が検出している被保管物とが一致しないときに、前記接触式ＩＣチップの読み取り不良を判断するＩＣチップデータ読取り不良検出手段とを有することを特徴とする保管庫。
【請求項２】
被保管物を収納するものであって、カード読取り手段と、該カード読取り手段が読取ったカードが開閉許可を有するものか否かを判断する開閉許可手段と、該開閉許可手段の許可を受けて、保管庫の扉を開放状態とする保管庫開閉手段とを備える保管庫において、
前記個々の被保管物に接触式ＩＣチップが取り付けられ、
前記接触式ＩＣチップに設けられた２つの端子と接触することにより、前記接触式ＩＣチップのデータを読み込むＩＣチップデータ読取り手段と、
保管庫に保管されている全ての被保管物を記憶する被保管物記憶手段と、
前記保管庫開閉手段が、保管庫の扉を閉じているときに、前記ＩＣチップデータ読取り手段が、前記全ての被保管物の各々の接触式ＩＣチップを読み取り、前記被保管物記憶手段が記憶しているデータに変化があったときに、前記接触式ＩＣチップの読み取り不良を判断するＩＣチップデータ読取り不良検出手段とを有することを特徴とする保管庫。
【請求項３】
被保管物を収納するものであって、カード読取り手段と、該カード読取り手段が読取ったカードが開閉許可を有するものか否かを判断する開閉許可手段と、該開閉許可手段の許可を受けて、保管庫の扉を開放状態とする保管庫開閉手段とを備える保管庫において、
前記個々の被保管物に接触式ＩＣチップが取り付けられ、
前記接触式ＩＣチップに設けられた２つの端子と接触することにより、前記接触式ＩＣチップのデータを読み込むＩＣチップデータ読取り手段と、
前記被保管物の数を検出する被保管物数検出手段と、
前記ＩＣチップデータ読取り手段が検出している被保管物の数と、前記被保管物数検出手段が検出している被保管物の数とが一致しないときに、前記接触式ＩＣチップの読み取り不良を判断するＩＣチップデータ読取り不良検出手段とを有すること特徴とする保管庫。
【請求項４】
被保管物を収納するものであって、カード読取り手段と、該カード読取り手段が読取っ
たカードが開閉許可を有するものか否かを判断する開閉許可手段と、該開閉許可手段の許可を受けて、保管庫の扉を開放状態とする保管庫開閉手段とを備える保管庫において、
前記個々の被保管物に接触式ＩＣチップが取り付けられ、
前記接触式ＩＣチップに設けられた２つの端子と接触することにより、前記接触式ＩＣチップのデータを読み込むＩＣチップデータ読取り手段と、
保管庫に保管されている全ての被保管物を記憶する被保管物記憶手段と、
被保管物を収納したときに操作する収納スイッチと、被保管物を取り出したときに操作する取出スイッチとを備える操作パネルと、
前記収納スイッチが操作されたときに、前記被保管物記憶手段が記憶する被保管物の数が増加しない場合、または、前記取出スイッチが操作されたときに、前記被保管物記憶手段が記憶する被保管物の数が減少しないときに、前記接触式ＩＣチップの読み取り不良を判断するＩＣチップデータ読取り不良検出手段とを有することを特徴とする保管庫。
【請求項５】
被保管物を収納するものであって、カード読取り手段と、該カード読取り手段が読取ったカードが開閉許可を有するものか否かを判断する開閉許可手段と、該開閉許可手段の許可を受けて、保管庫の扉を開放状態とする保管庫開閉手段とを備え、ＬＡＮによりサーバを介して複数のパソコンに接続される保管庫において、
前記個々の被保管物に接触式ＩＣチップが取り付けられ、
前記接触式ＩＣチップに設けられた２つの端子と接触することにより、前記接触式ＩＣチップのデータを読み込むＩＣチップデータ読取り手段と、
保管庫に保管されている全ての被保管物を記憶する被保管物記憶手段と、
前記保管開閉手段が開閉された後、前記被保管物記憶手段が記憶する被保管物の数が変化しないときに、前記接触式ＩＣチップの読み取り不良を判断して、前記保管庫開閉を行った前記カードに対応する前記パソコンに対して、被保管物の数が変化しなかったことを、前記ＬＡＮを介して通知するＩＣチップデータ読取り不良通知手段とを有することを特徴とする保管庫。
【発明の詳細な説明】
【技術分野】
【０００１】
本発明は、ＵＳＢメモリ、ＣＤ−ＲＯＭ、ファイル、鍵などの被保管物を収納する保管庫に関する。
【背景技術】
【０００２】
保管庫には、例えば、ＵＳＢメモリ、ＣＤ−ＲＯＭ、ファイル、ノートパソコン、鍵などの被保管物が保管される。近年、セキュリティ保護の観点から、被保管物の入出庫などを自動管理するニーズが高くなっている。例えば特許文献１に記載された保管庫は、物品に取り付けられた記憶部材群から、無線回線を経由して情報を読み出す読み出し装置を備え、物品を保管庫に入出庫するときに、読み出し装置が記憶部材からデータを読み出して物品を識別し、当該物品の入庫時刻、出庫時刻などを管理する（例えば、特許文献１参照。）。
【０００３】
【特許文献１】特開２００５−６００８５号公報
【発明の開示】
【発明が解決しようとする課題】
【０００４】
しかしながら、従来の保管庫には、以下の問題があった。
従来の保管庫は、記憶部材として例えば非接触式ＩＣチップを用いる。例えば、保管庫に収容する物品がケース入りＣＤ−ＲＯＭである場合には、読み出し装置がケースに取り付けられた非接触式ＩＣチップから情報を読み取り、ＣＤ−ＲＯＭの入出庫を自動管理する。ＣＤ−ＲＯＭケースは、一般的に厚さが５ｍｍ程度であり、収納効率を鑑みて、隣りのＣＤ−ＲＯＭケースと近接した状態で保管庫に収容される。このようにケース同士が近接する場合、非接触式ＩＣチップ同士も近づき、非接触式ＩＣチップの電波が干渉するため、読み出し装置が特定の非接触式ＩＣチップから電波を受信して情報を読み取ることができない。従って、従来の保管庫では実質的にＣＤ−ＲＯＭを管理することができなかった。
【０００５】
一方、ＩＣチップには、読み出し装置が２つの端子に接触して情報を取得する接触式ＩＣチップがある。接触式ＩＣチップをＣＤ−ＲＯＭケースに取り付け、ＣＤ−ＲＯＭの入出庫時に読み出し装置が接触式ＩＣチップに設けられた２つの端子に接触して接触式ＩＣチップに記憶された情報を取得するようにすれば、電波干渉の問題を解消して、ＣＤ−ＲＯＭを自動管理できるようになるとも考えられる。しかし、読み出し装置は、接触式ＩＣチップに設けられた２つの端子に適切に接触しないと、接触式ＩＣチップの情報を取得できない。そのため、例えば、ユーザがＣＤ−ＲＯＭを保管庫に返却した場合でも、読み出し装置が接触式ＩＣチップに設けられた２つの端子に適切に接触せず、接触式ＩＣチップの情報を読みとれないと、読み出し装置が返却されたＣＤ−ＲＯＭを認識できず、未返却であると誤認識する。従って、接触式ＩＣチップの読み取り不良は、被保管物管理の信頼性に大きな影響を及ぼす。この読み取り不良に対する対策を講じた保管庫は、従来存在しなかった。
【０００６】
そこで、本発明は、上記問題点を解決するためになされたものであり、被保管物管理に対する信頼性が高い保管庫を提供することを目的とする。
【課題を解決するための手段】
【０００７】
上記目的を達成するために、本発明に係る保管庫は以下の構成を有する。
【０００８】
（１）被保管物を収納するものであって、カード読取り手段と、該カード読取り手段が読取ったカードが開閉許可を有するものか否かを判断する開閉許可手段と、該開閉許可手段の許可を受けて、保管庫の扉を開放状態とする保管庫開閉手段とを備える保管庫において、前記個々の被保管物に接触式ＩＣチップが取り付けられ、前記接触式ＩＣチップに設けられた２つの端子と接触することにより、前記接触式ＩＣチップのデータを読み込むＩＣチップデータ読取り手段と、前記被保管物の有無を検出する被保管物有無検出手段と、前記ＩＣチップデータ読取り手段が検出している被保管物と、前記被保管物有無検出手段が検出している被保管物とが一致しないときに、前記接触式ＩＣチップの読み取り不良を判断するＩＣチップデータ読取り不良検出手段とを有することを特徴とする。
【０００９】
（２）被保管物を収納するものであって、カード読取り手段と、該カード読取り手段が読取ったカードが開閉許可を有するものか否かを判断する開閉許可手段と、該開閉許可手段の許可を受けて、保管庫の扉を開放状態とする保管庫開閉手段とを備える保管庫において、前記個々の被保管物に接触式ＩＣチップが取り付けられ、前記接触式ＩＣチップに設けられた２つの端子と接触することにより、前記接触式ＩＣチップのデータを読み込むＩＣチップデータ読取り手段と、保管庫に保管されている全ての被保管物を記憶する被保管物記憶手段と、前記保管庫開閉手段が、保管庫の扉を閉じているときに、前記ＩＣチップデータ読取り手段が、前記全ての被保管物の各々の接触式ＩＣチップを読み取り、前記被保管物記憶手段が記憶しているデータに変化があったときに、前記接触式ＩＣチップの読み取り不良を判断するＩＣチップデータ読取り不良検出手段とを有することを特徴とする。
【００１０】
（３）被保管物を収納するものであって、カード読取り手段と、該カード読取り手段が読取ったカードが開閉許可を有するものか否かを判断する開閉許可手段と、該開閉許可手段の許可を受けて、保管庫の扉を開放状態とする保管庫開閉手段とを備える保管庫において、前記個々の被保管物に接触式ＩＣチップが取り付けられ、前記接触式ＩＣチップに設けられた２つの端子と接触することにより、前記接触式ＩＣチップのデータを読み込むＩＣチップデータ読取り手段と、前記被保管物の数を検出する被保管物数検出手段と、前記ＩＣチップデータ読取り手段が検出している被保管物の数と、前記被保管物数検出手段が検出している被保管物の数とが一致しないときに、前記接触式ＩＣチップの読み取り不良を判断するＩＣチップデータ読取り不良検出手段とを有することを特徴とする。
【００１１】
（４）被保管物を収納するものであって、カード読取り手段と、該カード読取り手段が読取ったカードが開閉許可を有するものか否かを判断する開閉許可手段と、該開閉許可手段の許可を受けて、保管庫の扉を開放状態とする保管庫開閉手段とを備える保管庫において、前記個々の被保管物に接触式ＩＣチップが取り付けられ、前記接触式ＩＣチップに設けられた２つの端子と接触することにより、前記接触式ＩＣチップのデータを読み込むＩＣチップデータ読取り手段と、保管庫に保管されている全ての被保管物を記憶する被保管物記憶手段と、被保管物を収納したときに操作する収納スイッチと、被保管物を取り出した
ときに操作する取出スイッチとを備える操作パネルと、前記収納スイッチが操作されたときに、前記被保管物記憶手段が記憶する被保管物の数が増加しない場合、または、前記取出スイッチが操作されたときに、前記被保管物記憶手段が記憶する被保管物の数が減少しないときに、前記接触式ＩＣチップの読み取り不良を判断するＩＣチップデータ読取り不良検出手段とを有することを特徴とする。
【００１２】
（５）被保管物を収納するものであって、カード読取り手段と、該カード読取り手段が読取ったカードが開閉許可を有するものか否かを判断する開閉許可手段と、該開閉許可手段の許可を受けて、保管庫の扉を開放状態とする保管庫開閉手段とを備え、ＬＡＮによりサーバを介して複数のパソコンに接続される保管庫において、前記個々の被保管物に接触式ＩＣチップが取り付けられ、前記接触式ＩＣチップに設けられた２つの端子と接触することにより、前記接触式ＩＣチップのデータを読み込むＩＣチップデータ読取り手段と、保管庫に保管されている全ての被保管物を記憶する被保管物記憶手段と、前記保管開閉手段が開閉された後、前記被保管物記憶手段が記憶する被保管物の数が変化しないときに、前記接触式ＩＣチップの読み取り不良を判断して、前記保管庫開閉を行った前記カードに対応する前記パソコンに対して、被保管物の数が変化しなかったことを、前記ＬＡＮを介して通知するＩＣチップデータ読取り不良通知手段とを有することを特徴とする。
【発明の効果】
【００１３】
上記構成を有する保管庫は、何れも、被保管物に取り付けられた接触式ＩＣチップを、ＩＣチップデータ読取り手段によって読み取り、被保管物を管理する。そのため、本発明の保管庫は、被保管物を近接させた状態で収容して収納効率を高める場合でも、ＩＣチップデータ読取り手段が特定の接触式ＩＣチップに接触してデータを個別に読み込むことができ、被保管物を管理することができる。
【００１４】
ところで、接触式ＩＣチップのデータを読み取って被保管物を管理する保管庫では、被保管物の入出庫時に、接触式ＩＣチップがＩＣチップデータ読取り手段に適切に接触しないと、ＩＣチップデータ読取り手段が接触式ＩＣチップのデータを取得できず被保管物の入出庫を誤認識する恐れがある。
【００１５】
この不具合を防ぐために、本発明の保管庫は、ＩＣチップデータ読取り不良検出手段によって接触式ＩＣチップの読み取り不良を検出している。
【００１６】
すなわち、本発明の保管庫によれば、被保管物有無検出手段が被保管物の有無を検出しており、ＩＣチップデータ読取り手段が検出している被保管物と、被保管物有無検出手段が検出している被保管物とが一致しないときに、接触式ＩＣチップの読み取り不良を判断
するので、被保管物管理に対する信頼性を高くすることができる。
【００１７】
また、本発明の保管庫によれば、保管庫に保管されている全ての被保管物を被保管物記憶手段に記憶しておき、保管庫開閉手段が、保管庫の扉を閉じているときに、ＩＣチップデータ読取り手段が、被保管物の各々に取り付けられた接触式ＩＣチップを読み取り、被保管物記憶手段が記憶しているデータに変化があったときに、接触式ＩＣチップの読み取り不良を判断するので、被保管物管理に対する信頼性を高くすることができる。
【００１８】
また、本発明の保管庫によれば、被保管物数検出手段が被保管物の数を検出しており、ＩＣチップデータ読取り手段が検出している被保管物の数と、被保管物数検出手段が検出している被保管物の数とが一致しないときに、接触式ＩＣチップの読み取り不良を判断するので、被保管物管理に対する信頼性を高くすることができる。
【００１９】
また、本発明の保管庫によれば、保管庫に保管されている全ての被保管物を被保管物記憶手段に記憶しており、操作パネルの収納スイッチが操作されたときに、被保管物記憶手段が記憶する被保管物の数が増加しない場合、または、操作パネルの取出スイッチが操作されたときに、被保管物記憶手段が記憶する被保管物の数が減少しないときに、接触式ＩＣチップの読み取り不良を判断するので、被保管物管理に対する信頼性を高くすることができる。
【００２０】
また、本発明の保管庫によれば、保管庫に保管されている全ての被保管物を被保管物記憶手段に記憶しており、保管開閉手段が開閉された後、被保管物記憶手段が記憶する被保管物の数が変化しないときに、接触式ＩＣチップの読み取り不良を判断して、保管庫開閉を行ったカードに対応するパソコンに対して、被保管物の数が変化しなかったことを、ＬＡＮを介して通知するので、ユーザが被保管物を入出庫して保管庫から離れた場合でも、被保管物が適切に入出庫されなかったことをユーザに知らせることができ、被保管物管理に対する信頼性を高くすることができる。
【発明を実施するための最良の形態】
【００２１】
次に、本発明に係る保管庫の一実施の形態について図面を参照して説明する。
【００２２】
（第１実施形態）
＜保管庫ネットワークシステム＞
図１は、保管庫ネットワークシステム１の概略構成図である。
保管庫ネットワークシステム１は、複数の保管庫１０がＬＡＮ２を介してサーバ３やパソコン４に通信可能に接続されている。保管庫１０は、被保管物に取り付けられた接触式ＩＣチップ９０からデータを取得して被保管物を管理するよう構成されている。保管庫１０は、「ＩＣチップ接触不良検出手段」又は「ＩＣチップデータ読取り不良通知手段」の一例であるＩＣチップ接触不良検出プログラム７３が制御装置１７（図１０参照。）に格納され、接触式ＩＣチップ９０の読み取り不良を検出する点に特徴を有する。
【００２３】
＜保管庫の概略構成＞
図２は、図１に示す保管庫１０の一例を示す外観斜視図であって、扉１２を閉じた状態を示す。
保管庫１０には、一方に開口する筐体１１に一対の扉１２，１２が回動可能に保持されている。扉１２には後述する操作パネル１３が取り付けられている。筐体１１には、「保管庫開閉手段」の一例である電子錠１４が取り付けられ、扉１２の開閉状態が制御される。但し、停電などの非常時には電子錠１４を制御できないため、扉１２には非常開錠鍵１５が設けられている。筐体１１と扉１２は、耐火性や耐震性などを確保するために金属で形成されている。
【００２４】
図３は、図２に示す保管庫１０の外観斜視図であって、扉１２を開いた状態を示す。
保管庫１０は内部が複数の棚１６で区画されている。本実施形態では、鍵１１２を収容する第１の棚１６Ａと、ファイルを収納する第２の棚１６Ｂと、ＣＤ−ＲＯＭ１０２を収容する第３の棚１６Ｃと、パソコンを収容する第４の棚１６Ｄに保管庫１０が区画されている。尚、以下の説明では、棚を区別する必要がないときには「棚１６」と総称する。棚１６は剛性を確保するために金属で形成され、被保管物の収納状態を知らせるためのＬＥＤ９８（後述）が被保管物の収納位置に対応して各々設けられている。筐体１１の天板には、制御装置１７がねじなどで固定されている。制御装置１７は、筐体１１の配線孔１１ａから取り出された配線（図示せず）を介してＬＡＮ２（図１参照。）に接続されている。
【００２５】
＜操作パネル＞
次に、上述した操作パネル１３の構成について図４を参照して説明する。図４は、図２に示す操作パネル１３の正面図である。
操作パネル１３は、「カード読取り手段」の一例であるカード読取り部２１と、入力スイッチ２２と、収納スイッチ２３と、取出スイッチ２４と、終了スイッチ２５と、表示部２６と、スピーカ２７とを備える。
【００２６】
カード読取り部２１はＩＣカード８０と無線通信してデータを読み取るものである。
入力スイッチ２２は、データを入力するものである。
収納スイッチ２３は、ユーザが被保管物の入庫時に操作するものである。
取出スイッチ２４は、ユーザが被保管物の出庫時に操作するものである。
終了スイッチ２５は、ユーザが被保管物の入出庫終了時に操作するものである。
表示部２６は情報を視覚的に出力するものである。本実施形態では、液晶ディスプレイによって表示部２６が構成されている。
スピーカ２７は情報を聴覚的に出力するものである。
【００２７】
＜接触式ＩＣチップの取付例＞
ところで、保管庫１０に収容される被保管物には、被保管物を識別するために接触式ＩＣチップ９０が取り付けられている。接触式ＩＣチップ９０は、被保管物に直接的に取り付けられてもよいし、保持媒体を介して被保管物に取り付けられてもよい。接触式ＩＣチップ９０の取付例を図５及び図７に示す。図５は、ＣＤ−ＲＯＭ１０２のケース１０１に接触式ＩＣチップ９０を取り付けた例を示す図である。図７は、鍵１１２に接触式ＩＣチップ９０を取り付けた例を示す図である。
【００２８】
図５に示すように、接触式ＩＣチップ９０は、ＣＤ−ＲＯＭ１０２のケース１０１に取り付けられる。接触式ＩＣチップ９０は、保持媒体の一例である装着シート１０３に接着固定され、装着シート１０３をケース１０１の蓋に挿し入れることによりケース１０１に取り付けられる。つまり、接触式ＩＣチップ９０は、装着シート１０３を介してケース１０１に間接的に取り付けられている。ケース１０１には、蓋を開きやすくするために、切欠部１０１ａが底面の２箇所に形成されている。接触式ＩＣチップ９０は、切欠部１０１ａ，１０１ａから外部に露出するように第１接点９６と第２接点９７が装着シート１０３に固定されている。このように装着シート１０３を用いることにより、接触式ＩＣチップ９０を既存のケース１０１に簡単に着脱することができる。尚、本実施形態では、ＣＤ−ＲＯＭ１０２とケース１０１とにより「被保管物」が構成される。また、本実施形態では、第１接点９６と第２接点９７が、「接触式ＩＣチップに設けられた２つの端子」を構成する。
【００２９】
図７に示すように、接触式ＩＣチップ９０は、ホルダ１１１を介して鍵１１２に取り付
けられる。ホルダ１１１は樹脂成形品であり、接触式ＩＣチップ９０は、インサート成形によってホルダ１１１に埋め込まれた状態で一体化され、脱落を防止されている。つまり、接触式ＩＣチップ９０はホルダ１１１に直接的に取り付けられている。ホルダ１１１の両側面には、ガイドレール１１１ａ，１１１ｂが形成され、ガイドレール１１１ａとガイドレール１１１ｂ上に第１接点９６と第２接点９７が露出している。ガイドレール１１１ａ，１１１ｂには、汚れを除去するためのクリーンテープ１１３が貼付されている。また、ホルダ１１１の図中上側にはノッチ１１１ｃが形成されている。尚、本実施形態では、ホルダ１１１と鍵１１２とにより「被保管物」が構成される。
【００３０】
＜棚の構造＞
次に、被保管物を収容する棚１６の構造について、図６、図８、図９を例に挙げて説明する。
棚１６には、「ＩＣチップデータ読み取り手段」の一例である電極２８、「被保管物有無検出手段」又は「被保管物数検出手段」の一例であるリミットスイッチ１０５、入出庫制限装置１０６、ＬＥＤ９８などが設けられている。
【００３１】
図６は、ＣＤ−ＲＯＭ１０２を収容する第３の棚１６Ｃの構造例を示す図である。
第３の棚１６Ｃには、ケース１０１に設けた第１接点９６と第２接点９７に対応する位置に、孔が開設されている。電極２８Ｃ，２８Ｃは、電極板を折り曲げてそれ自体に弾性力を持たせたものであり、頂部が第３の棚１６Ｃに開設された孔から突き出すように、第３の棚１６Ｃに変形可能に取り付けられている。
【００３２】
第３の棚１６Ｃには、電極２８Ｃ，２８Ｃに対向するように付勢部材１０９，１０９が配設されている。付勢部材１０９には、スプリング１１０の弾性力が電極２８Ｃ，２８Ｃに向かって作用し、付勢部材１０９の先端部がケース１０１の進路上に突き出している。付勢部材１０９，１０９の先端部は半球状に形成されている。
【００３３】
第３の棚１６Ｃの収容口には、入出庫制限装置１０６Ｃが配設されている。入出庫制限装置１０６Ｃは、Ｌ字型のリンク１０８が第３の棚１６Ｃに回動可能に軸支されている。リンク１０８は、一端がケース１０１の進路上に突出し、他端がソレノイド１０７に連結されている。このような入出庫制限装置１０６Ｃは、ソレノイド１０７を非通電にすることにより、ソレノイド１０７がリンク１０８の他端を押し下げてリンク１０８の一端をケース１０１の進路上に突き出す一方、ソレノイド１０７に通電することにより、ソレノイド１０７がリンク１０８の他端を引き上げてリンク１０８を図中時計回りに回転させ、リンク１０８の一端をケース１０１の進路上から退避させる。
【００３４】
更に、第３の棚１６Ｃの背面側には、リミットスイッチ１０５Ｃが取り付けられ、ケース１０１によってリミットスイッチ１０５Ｃがオン・オフされるようになっている。リミットスイッチ１０５Ｃには、接続線９９を介してＬＥＤ９８が１対１の関係で接続されている。ＬＥＤ９８は、棚１６Ｃの外部に露出している。
【００３５】
図８は、鍵１１２を収容する第１の棚１６Ａの構造例である。図９は、図８に示す電極２８Ａ，２８Ａの取付例を示す図である。
図８及び図９に示すように、第１の棚１６Ａには、ホルダ１１１を収容するための収容凹部１２０が設けられている。収容凹部１２０の対向する側面には、電極２８Ａを装着するための孔が設けられている。図９に示すように、電極２８Ａ，２８Ａは、電極板を折り曲げてそれ自身に弾性力を持たせたものであり、収容凹部１２０の孔から頂部が突き出すように、第１の棚１６Ａに変形可能に取り付けられている。ここで、電極２８Ａ，２８Ａの頂部の間隔は、ホルダ１１の幅より狭く設定されている。
【００３６】
図８に示すように、収容凹部１２０の上方には入出庫制限装置１０６Ａが配設されている。入出庫制限装置１０６Ａは、リンク１１８が第１の棚１６Ａに回動可能に軸支されている。リンク１１８は、先端部１１８ａがホルダ１１１の進路上に突出するように配設され、後端部が回転自在に軸支されている。リンク１１８の略中央部には、ソレノイド１１７が連結している。ソレノイド１１７は、リンク１１８との間にスプリング１１６が縮設され、リンク１１８を図中反時計回りに付勢している。そのため、入出庫制限装置１０６Ａは、ソレノイド１１７を非通電にすることにより、リンク１１８がスプリング１１６に付勢されて図中反時計回りに回転し、先端部１１８ａをホルダ１１１の進路上に突き出す一方、ソレノイド１１７に通電することにより、スプリング１１６の弾性力に抗してリンク１１８が図中時計回りに回転し、先端部１１８ａがホルダ１１１の進路上から退避する。
【００３７】
また、図８に示すように、第１の棚１６Ａの図中下側面には、リミットスイッチ１０５Ａが取り付けられ、ホルダ１１１によってリミットスイッチ１０５Ａがオン・オフされるようになっている。リミットスイッチ１０５Ａには、図示しない接続線を介してＬＥＤ９８が１対１の関係で接続されている。ＬＥＤ９８は、棚１６Ａの外部に露出している。
【００３８】
＜制御装置の制御ブロック＞
次に、制御装置１７の制御構成について説明する。図１０は、制御装置１７の電気ブロック図である。
制御装置１７は、コンピュータ機能を有するものであり、ＣＰＵ６１を中心に構成される。ＣＰＵ６１には、ＲＯＭ６２、ＲＡＭ６３、ハードディスクドライブ（以下「ＨＤＤ」と略記する。）６４、ＬＡＮインターフェース（以下「ＬＡＮＩＦ」と略記する。）６５、入出力インターフェース（以下「入出力ＩＦ」と略記する。）６６が接続されている。
【００３９】
ＬＡＮＩＦ６５にはＬＡＮ２（図１参照。）が接続されている。
入出力ＩＦ６６には、カード読取り部２１、電子錠１４、入力スイッチ２２、収納スイッチ２３、取出スイッチ２４、終了スイッチ２５、表示部２６、スピーカ２７、電極２８、リミットスイッチ１０５、ＬＥＤ９８などが接続されている。
【００４０】
ＨＤＤ６４には、ユーザ情報記憶手段７１と、「開閉許可手段」の一例である開閉許可プログラム７２と、ＩＣチップデータ読取り不良検出プログラム７３と、被保管物記憶手段７４と、被保管物利用履歴記憶手段７５が記憶されている。
【００４１】
ユーザ情報記憶手段７１は、保管庫１０の使用権限を有するユーザのユーザ情報を記憶するものである。ユーザ情報は、サーバ３からＬＡＮ２を介して制御装置１７に配布してユーザ情報記憶手段７１に予め記憶させておいてもよいし、ユーザがカード読取り部２１にＩＣカード８０をかざしたときに、制御装置１７がサーバ３に問い合わせてユーザ情報を取得してユーザ情報記憶手段７１に記憶させてもよい。
開閉許可プログラム７２は図１４に示す処理を行うものである。ＩＣチップデータ読取り不良検出プログラム７３は図１５に示す処理を行うものである。開閉許可プログラム７２とＩＣチップデータ読取り不良検出プログラム７３については後述する。
被保管物記憶手段７４は、電極２８が読み取った接触式ＩＣチップ９０のデータに基づいて保管庫１０に収容されている被保管物の名称、配置、種別等を記憶するものである。
被保管物利用履歴記憶手段７５は、被保管物の利用履歴を記憶するものであり、例えば図１０に示すように、ユーザ識別番号、ユーザ名、利用開始日時、返却日時、利用被保管物を蓄積して記憶する。
【００４２】
＜ＩＣカードの制御ブロック＞
図１２は、ＩＣカード８０の電気ブロック図である。
ＩＣカード８０は、周知の非接触式ＩＣチップを搭載するカードである。ＩＣカード８０は、ＣＰＵ８１、ＲＯＭ８２、ＲＡＭ８３、ＥＥＰＲＯＭ８４、アンテナ８６などを備え、コンピュータ機能を有する。ＥＥＰＲＯＭ８４には、使用権限識別情報記憶手段８５が設けられ、ユーザの識別番号、ユーザ名など保管庫１０の使用権限を有するユーザを識別するための使用権限識別情報が記憶されている。
【００４３】
＜接触式ＩＣチップの制御ブロック＞
図１３は、接触式ＩＣチップ９０の電気ブロック図である。
接触式ＩＣチップ９０は、コンピュータ機能を有する周知のものであり、ＣＰＵ９１を中心に構成されている。ＣＰＵ９１には、ＲＯＭ９２、ＲＡＭ９３、ＥＥＰＲＯＭ９４、第１接点９６、第２接点９７が接続している。接点が第１接点９６と第２接点９７の２個あるのは、２点検出を行うことにより被保管物の位置検出誤差を防ぐためである。ＥＥＰＲＯＭ９４には、被保管物識別情報記憶手段９５が設けられ、被保管物の識別番号、名称、種別、収納場所など被保管物を識別するための被保管物識別情報が記憶されている。
【００４４】
＜保管庫の動作について＞
続いて、保管庫１０の動作について説明する。
保管庫１０は、電極２８が第１接点９６と第２接点９７に接触して接触式ＩＣチップ９０から被保管物のデータを取得することにより、被保管物を管理している。
【００４５】
＜ＣＤ−ＲＯＭの収納＞
例えば図６に示すように、ＣＤ−ＲＯＭ１０２を第３の棚１６Ｃに収容する場合には、ソレノイド１０７に通電することによりリンク１０８の一端をケース１０１の進路上から退避させ、第３の棚１６Ｃの収容口を開放する。ケース１０１を第３の棚１６Ｃの収容口に挿入すると、ケース１０１の上端角部が付勢部材１０９に突き当たり、またケース１０１の下端角部が電極２８Ｃ，２８Ｃに突き当たる。
【００４６】
付勢部材１０９は先端部が半球状にされているため、ケース１０１の移動に伴ってスプリング１１０の弾性力に抗して図中上向きに移動し、ケース１０１の進路を広げる。また、電極２８Ｃ，２８Ｃは変形可能に第３の棚１６Ｃに取り付けられているため、電極２８Ｃ，２８Ｃの反発力に抗してケース１０１を第３の棚１６Ｃに押し込むと、電極２８Ｃ，２８Ｃがケース１０１に頂部を押圧されて変形し、ケース１０１の進路を広げる。従って、ケース１０１は、第３の棚１６Ｃの収容口から付勢部材１０９と電極２８Ｃとの間を介して第３の棚１６Ｃの奥側まで挿入される。ケース１０１が第３の棚１６Ｃの背面に突き当たるまで挿入されると、リミットスイッチ１０５Ｃがオフ状態からオン状態に切り換えられ、ＣＤ−ＲＯＭ１０２が第３の棚１６Ｃに収容されたことを確認する。
【００４７】
ここで、ケース１０１が第３の棚１６Ｃに押し込まれるときに、電極２８Ｃ，２８Ｃが変形して弾性力を発生し、第１接点９６と第２接点９７側に頂部を押し出す。そのため、電極２８Ｃ，２８Ｃが第１接点９６と第２接点９７に擦り合わされる。また同時に、付勢部材１０９がスプリング１１０の弾性力によってケース１０１を電極２８Ｃ，２８Ｃ側に向かって付勢し、第１接点９６と第２接点９７を電極２８Ｃ，２８Ｃに押し付ける。電極２８Ｃ，２８Ｃは、付勢部材９０に付勢された状態で第１接点９６と第２接点９７に擦れ合って接触するときに、接触式ＩＣチップ９０のデータを読み取る。読み取られたデータは被保管物記憶手段７４と被保管物利用履歴記憶手段７５に記憶される。
【００４８】
上記のようにしてＣＤ−ＲＯＭ１０２を第３の棚１６Ｃに収容し、リミットスイッチ１０５Ｃがオフ状態からオン状態に切り換えられると、ソレノイド１０７を非通電にすることによりリンク１０８の一端をケース１０１の進路上に突き出し、第３の棚１６Ｃの収容
口を塞ぐ。これにより、保管庫１０に収容したＣＤ−ＲＯＭ１０２が第３の棚１６Ｃから取り出せなくなる。また、リミットスイッチ１０５Ｃの切替と同時に、収納されたＣＤ−ＲＯＭ１０２に対応するＬＥＤ９８が点灯し、特定のＣＤ−ＲＯＭ１０２が保管庫１０に有ることを外部に報知する。
【００４９】
＜ＣＤ−ＲＯＭの取り出し＞
ＣＤ−ＲＯＭ１０２を第３の棚１６Ｃから取り出す場合には、ソレノイド１０７に通電して第３の棚１６Ｃの収容口を開放し、ケース１０１を第３の棚１６Ｃから取り出す。このときにも、付勢部材１０９がスプリング１１０の弾性力によってケース１０１を電極２８Ｃ、２８Ｃ側に付勢し、第１接点９６と第２接点９７を電極２８Ｃ，２８Ｃに押し付けるとともに、電極２８Ｃ，２８Ｃがそれ自身の弾性力で頂部を電極２８Ｃ，２８Ｃに押し付ける。そのため、ケース１０１の取出時にも、電極２８Ｃ，２８Ｃが第１接点９６と第２接点９７に擦れ合い、接触式ＩＣチップ９０のデータを読み取ることができる。読み取られたデータは、被保管物記憶手段７４から削除される一方、被保管物利用履歴記憶手段７５に記憶される。ケース１０１を取り出した後、ソレノイド１０７を非通電にして第３の棚１６Ｃの収容口を塞ぎ、ケース１０１の収容を制限する。なおこのときには、リミットスイッチ１０５Ｃがオン状態からオフ状態に切り換えられ、ＣＤ−ＲＯＭ１０２の取り出しを確認できる。また、リミットスイッチ１０５Ｃの切替と同時に、取り出されたＣＤ−ＲＯＭ１０２に対応するＬＥＤ９８が消灯し、取り出されたＣＤ−ＲＯＭ１０２が保管庫１０に無いことを外部に報知する。
【００５０】
＜鍵の収納＞
また例えば、図８に示すように、鍵１１２を第１の棚１６Ａに収容する場合には、ソレノイド１１７に通電してリンク１１８の先端部１１８ａをホルダ１１１の進路上から退避させ、第１の棚１６Ａの収容口を開放する。ホルダ１１１を収容凹部１２０に挿入すると、ホルダ１１１が電極２８Ａ，２８Ａに突き当たる。
【００５１】
電極２８Ａ，２８Ａは変形可能に第１の棚１６Ａに取り付けられているため、電極２８Ａ，２８Ａの反発力に抗してホルダ１１１を収容凹部１２０に押し込むと、電極２８Ａ，２８Ａがホルダ１１１に頂部を押圧されて変形し、ケース１０１の進路を広げる。さらにホルダ１１１を収容凹部１２０に押し込むと、電極２８Ａ，２８Ａがガイドレール１１１ａ，１１１ｂに嵌合して電極自身の弾性力によってクリーンテープ１１３に擦り合わされ、酸化膜等の汚れを除去される。そして更に、ホルダ１１１を収容凹部１２０に押し込むと、電極２８Ａ，２８Ａが第１接点９６と第２接点９７に到達する。このとき、電極２８Ａ，２８Ａは、電極自身の弾性力で第１，第２接点９６，９７にそれぞれ押し付けられて擦り合わされ、接触式ＩＣチップ９０のデータを読み取る。読み取られたデータは、被保管物記憶手段７４と被保管物利用履歴記憶手段７５に記憶される。
【００５２】
このように、収容凹部１２０の開口部から電極２８Ａ，２８Ａの間を介して収容凹部１２０の奥側までホルダ１１１を挿入することにより、リミットスイッチ１０５Ａがオフ状態からオン状態に切り換えられ、鍵１１２が収容凹部１２０に収容されたことを確認する。
【００５３】
リミットスイッチ１０５Ａがオフ状態からオン状態に切り換えられると、ソレノイド１１７を非通電に切り換えてリンク１１８の先端部１１１８ａをホルダ１１１の進路上に突出させ、ノッチ１１１ｃに係合させる。これにより、保管庫１０に収容した鍵１１２が第１の棚１６Ａから取り出せなくなる。また、リミットスイッチ１０５Ａの切替と同時に、収納された鍵１１２に対応するＬＥＤ９８が点灯し、特定の鍵１１２が保管庫１０に有ることを外部に報知する。
【００５４】
＜鍵の取り出し＞
鍵１１２を第１の棚１６Ａから取り出す場合には、ソレノイド１１７に通電してリンク１１８の先端部１１８ａをホルダ１１１の進路上から退避させ、先端部１１８ａとノッチ１１１ｃの係合を解除した後、ホルダ１１１を収容凹部１２０から取り出す。このときにも、電極２８Ａ，２８Ａがそれ自身の弾性力で頂部を電極２８Ａ，２８Ａに押し付ける。そのため、鍵１１２の取出時にも、電極２８Ａ，２８Ａが第１接点９６と第２接点９７に擦れ合い、接触式ＩＣチップ９０のデータを読み取ることができる。読み取られたデータは、被保管物記憶手段７４から削除される一方、被保管物利用履歴記憶手段７５に記憶される。ケース１０１を取り出した後、ソレノイド１１７を非通電にしてリンク１１８の先端部１１８ａをホルダ１１１の進路上に突き出させ、鍵１１２の収容を制限する。なおこのときには、リミットスイッチ１０５Ａがオン状態からオフ状態に切り換えられ、鍵１１２の取り出しを確認できる。また、リミットスイッチ１０５Ａの切替と同時に、取り出した鍵１１２に対応するＬＥＤ９８が消灯し、特定の鍵１１２が保管庫１０に無いことを外部に報知する。
【００５５】
＜接触式ＩＣチップ接触不良検出＞
保管庫１０は、被保管物の入出庫時に接触式ＩＣチップ９０の読み取り不良を検出する。図１４は、図１０に示す開閉許可プログラム７２を示すフロー図である。図１５は、ＩＣチップデータ読取り不良検出プログラム７３のフロー図である。
【００５６】
保管庫１０の制御装置１７は、ＩＣカード８０をユーザがかざしたことをトリガとして、図１４に示す開閉許可プログラム７２を実行し、使用権限を認証した上で、扉１２の開閉を制御する。
【００５７】
図１４に示すように、制御装置１７は、先ずステップ１（以下「Ｓ１」と略記する。）において、ＩＣカード８０がカード読取り部２１にかざされ、使用権限識別情報を取得したか否かを判断する。使用権限情報識別情報を取得するまで待機する（Ｓ１：ＮＯ）。
使用権限識別情報を取得したら（Ｓ１：ＹＥＳ）、Ｓ２において、操作パネル１３の表示部２６にＩＤ入力画面を表示し、ユーザにＩＤ入力を促す。ユーザが入力スイッチ２２を用いてＩＤを入力するまで待機する（Ｓ２：ＮＯ）。ユーザがＩＤを入力すると（Ｓ２：ＹＥＳ）、Ｓ３において本人認証を行う。使用権限識別情報がユーザ情報に合致せず、或いは、ＩＤが正当でない場合には、正当権限を認証できないと判断し（Ｓ４：ＮＯ）、Ｓ１に戻る。つまり、扉１２の開放を許可しない。
【００５８】
一方、ＩＣカードの使用権限識別情報がユーザ情報に合致し、且つ、ＩＤが正当である場合には、正当権限を認証できると判断し（Ｓ４：ＹＥＳ）、収納スイッチ２３又は取出スイッチ２４を押すことを促すメッセージを操作パネル１３の表示部２６に表示し、或いは、スピーカ２７から音声出力する。このようにスイッチ２３，２４の押下を促すのは、被保管物の入出庫の意図を制御装置１７に認識させるためである。収納スイッチ２３又は取出スイッチ２４が押されるまで待機する（Ｓ５：ＮＯ）。
【００５９】
ユーザが収納スイッチ２３又は取出スイッチ２４を押すと（Ｓ５：ＹＥＳ）、電子錠１４が開錠される。つまり、扉１２の開放を許可する。その後、ユーザが扉１２を開くまで待機する（Ｓ７：ＮＯ）。ユーザが扉１２を開くと（Ｓ７：ＹＥＳ）、タイマが起動し、Ｓ８において一定時間が経過したか否かを判断する。一定時間が経過するまでは（Ｓ８：ＮＯ）、Ｓ１０において扉１２が閉じられたか否かを監視しながら待機する。扉１２を開いたまま一定時間が経過すると（Ｓ７：ＹＥＳ、Ｓ８：ＹＥＳ）、Ｓ９において、操作パネル１３の表示部２６又はスピーカ２７に閉め忘れ警報を出力する。
【００６０】
一定時間が経過する前に（Ｓ８：ＮＯ）、或いは、閉め忘れ警報を出力した後に（Ｓ９
）、ユーザが扉１２を閉じると、終了スイッチ２５を押すことを促すメッセージを操作パネル１３の表示部２６に表示、或いは、スピーカ２７から音声出力する。終了スイッチ２５の操作を促すのは、ユーザが被保管物の入出庫を完了したことを制御装置１７に認識させるためである。ユーザが終了スイッチ２５を押すまでは待機する（Ｓ１１：ＮＯ、Ｓ８、Ｓ９、Ｓ１０）。
【００６１】
ユーザが終了スイッチ２５を押すと（Ｓ１１：ＹＥＳ）、Ｓ１２において、電極２８が読み取った接触式ＩＣチップ９０のデータを被保管物記憶手段７４に記憶し、被保管物の数（有無）を管理する。また、電極２８が読み取った非接触式ＩＣチップ９０のデータを、使用権限が正当であると認証したユーザのユーザ情報に関連付け、例えば図１０に示すように、ユーザ識別情報（ユーザ名）毎に被保管物の利用を開始した利用開始日時、被保管物を返却した返却日時、利用した被保管物を被保管物利用履歴記憶手段７５に記憶する。被保管物利用履歴を記憶しておくことにより、被保管物の利用履歴を辿って被保管物の所在等を突き止めることが可能である。
【００６２】
そして、Ｓ１３において、ＩＣチップデータ読取り不良検出処理を実行する。Ｓ１３の処理については後述する。ＩＣチップデータ読取り不良検出処理が完了したら、Ｓ１４において、電子錠１４を駆動して扉１２を施錠し、扉１２の開放を許可しなくなる。
【００６３】
次に、ＩＣチップデータ読取り不良検出処理（図１４のＳ１３参照。）について説明する。
ＩＣチップデータ読取り不良検出処理は、図１５に示すＩＣチップデータ読取り不良検出プログラム７３を実行して行われる。ＩＣチップデータ読取り不良検出処理は、図１５のＳ１２０１において、扉１２の開閉後に、電極２８が接触式ＩＣチップ９０に接触して検出している被保管物の数（有無）が変化したか否かを、被保管物記憶手段７４に記憶されている被保管物の数（有無）を確認することによって判断する。ユーザは、通常、被保管物の入出庫を前提に保管庫１０を開閉する。そのため、扉１２の開閉後に、被保管物の数（有無）が変化しない場合には、接触式ＩＣチップ９０の接触不良が生じている可能性が高い。具体的には、例えば、ユーザが鍵１１２を第１の棚１６Ａに戻したときに、鍵１１２を収容凹部１２０に十分に差し込まなかった場合には、電極２８Ａが第１接点９６と第２接点９７に適切に接触せず、接触式ＩＣチップ９０のデータを読み取ることができないことがある。この場合には、ユーザが鍵１１２を保管庫１０に返却しても、電極２８が検出する被保管物の数（有無）が変化せず、鍵１１２が未返却と誤認識される。そこで、扉１２の開閉後に被保管物の数（有無）が変化しない場合には（Ｓ１２０１：ＮＯ）、後述するＳ１２０７へ進む。
【００６４】
一方、扉１２の開閉後に被保管物の数（有無）が変化した場合には（Ｓ１２０１：ＹＥＳ）、Ｓ１２０２において、電極２８が接触式ＩＣチップ９０に接触して検出している被保管物の数（有無）と、リミットスイッチ１０５がオン状態にされて検出している被保管物の数（有無）とが一致するか否かを判断する。なぜなら、ユーザが被保管物を棚１６に適切に入出庫すれば、リミットスイッチ１０５が検出する被保管物の数（有無）と、電極２８が検出する被保管物の数（有無）が一致するはずだからである。
【００６５】
しかし、例えば、ＣＤ−ＲＯＭ１０２を第３の棚１６Ｃに返却したときに、電極２８Ｃ，２８Ｃの表面に酸化膜が付着していると、電極２８が第１接点９６と第２接点９７に接触しても接触式ＩＣチップ９０からデータを取得できないことがある。この場合には、リミットスイッチ１０５Ｃがオフ状態からオン状態に切り換えられて被保管物の数が増加しても、電極２８は入庫された被保管物を検出することができず、被保管物記憶手段７４に記憶されている被保管物の数（有無）が変化しないため、リミットスイッチ１０５がカウントする被保管物の数（有無）と被保管物記憶手段７４に記憶されている被保管物の数（
有無）とが一致しない。このように、電極２８が接触式ＩＣチップ９０に接触して検出している被保管物の数（有無）と、リミットスイッチ１０５が検出する被保管物の数（有無）とが一致しない場合には（Ｓ１２０２：ＮＯ）、後述するＳ１２０７へ進む。
【００６６】
一方、電極２８が接触式ＩＣチップ９０に接触して検出している被保管物の数（有無）と、リミットスイッチ１０５が検出する被保管物の数（有無）とが一致する場合には（Ｓ１２０２：ＹＥＳ）、Ｓ１２０３において、収納スイッチ２３が押されたか否かを判断する。
【００６７】
ユーザが収納スイッチ２３を押していた場合には（Ｓ１２０３：ＹＥＳ）、Ｓ１２０４において、被保管物記憶手段７４に記憶されている被保管物の数が増加したか否かを判断する。なぜなら、ユーザが収納スイッチ２３を押した場合には、ユーザが被保管物を保管庫１０に収納する意図があり、扉１２の開閉後には被保管物の数が増加するはずだからである。よって、被保管物の数が増加すれば（Ｓ１２０４：ＹＥＳ）、電極２８が第１接点９６と第２接点９７に適切に接触して接触式ＩＣチップ９０のデータを読み取ることができていると考えられるので、そのまま処理を終了し、図１４のＳ１４へ進む。
【００６８】
これに対して、収納スイッチ２３が押されたものの（Ｓ１２０３：ＹＥＳ）、被保管物の数が増加しなかった場合には（Ｓ１２０４：ＮＯ）、被保管物の収納時に、電極２８が第１接点９６と第２接点９７に接触して接触式ＩＣチップ９０のデータを適切に取得できなかった恐れがある。具体的には、例えば、ユーザがケース１０１を収納するときに、ケース１０１が隣のケースなどに引っ掛かり、ケース１０１を電極２８Ｃ，２８Ｃ上で何回か往復移動させた場合には、その移動に従って電極２８Ｃが接触式ＩＣチップ９０のデータを取得できないことがある。この場合には、電極２８Ｃが接触式ＩＣチップ９０のデータを取得する回数によっては、被保管物記憶手段７４に記憶される被保管物の数が減少し、当該被保管物が収納されずに取り出されたと誤認識する恐れがある。そこで、後述するＳ１２０７へ進む。
【００６９】
一方、ユーザが収納スイッチ２３ではなく、取出スイッチ２４を押した場合には（Ｓ１２０３：ＮＯ、Ｓ１２０５：ＹＥＳ）、被保管物検出手段７４が記憶する被保管物の数が減少したか否かを判断する。なぜなら、ユーザが取出スイッチ２４を押した場合には、被保管物を保管庫１０から取り出す意図があり、扉１２の開閉後には被保管物の数が減少するはずだからである。よって、扉１２の開閉後に被保管物の数が減少していれば（Ｓ１２０６：ＹＥＳ）、電極２８が第１接点９６と第２接点９７に適切に接触して接触式ＩＣチップ９０のデータを読み取ることができていると判断し、図１４のＳ１４へ進む。
【００７０】
これに対して、取出スイッチ２４が押されたものの（Ｓ１２０３：ＮＯ、Ｓ１２０５：ＹＥＳ）、被保管物の数が減少しなかった場合には（Ｓ１２０６：ＮＯ）、被保管物の収納時に、電極２８が第１接点９６と第２接点９７に接触して接触式ＩＣチップ９０のデータを適切に取得できなかった恐れがある。具体的には、例えば、ユーザがケース１０１を取り出すときに、ケース１０１が隣のケースなどに引っ掛かり、ケース１０１を電極２８Ｃ，２８Ｃ上で何回か往復移動させた場合には、その移動に従って電極２８Ｃが接触式ＩＣチップ９０のデータを過剰に取得することがある。この場合には、被保管物記憶手段７４に記憶される被保管物の数が増加し、当該被保管物が取り出されずに収納されたと誤認識する恐れがある。そこで、Ｓ１２０７へ進む。
【００７１】
Ｓ１２０７においては、接触式ＩＣチップ９０の接触不良に関する警告メッセージを操作パネル１３の表示部２６に表示したり、接触式ＩＣチップ９０の接触不良に関する警報音や警告メッセージをスピーカ２７から音声出力する。これにより、ユーザは、接触式ＩＣチップの読取り不良に気付き、入出庫した被保管物を保管庫１０に出し入れし直す。
【００７２】
そして、Ｓ１２０８において、接触式ＩＣチップ９０の接触不良に関する警報をユーザ情報とともにサーバ３にＬＡＮ２を介して出力する。サーバ３は、ユーザ情報をもとにメール宛先を特定し、当該ユーザが所有するパソコン４に警告メールを送信する。ユーザが保管庫１０の警報に気づかずに保管庫１０からパソコン４に戻った場合でも、パソコン４に送られてきた警告メールの内容を見て、接触式ＩＣチップ９０の読取り不良が生じたことを知る。これにより、ユーザは、保管庫１０へ戻り、被保管物を保管庫１０に出し入れし直す。
【００７３】
そして、Ｓ１２０９において、被保管物記憶手段７４と被保管物利用履歴記憶手段７５のデータを修正した後、図１４のＳ１４に進む。
【００７４】
＜保管庫の作用効果＞
上記構成を有する保管庫１０は、何れも、被保管物に取り付けられた接触式ＩＣチップ９０を電極２８によって読み取り、被保管物を管理する（図６、図８、図９参照。）。そのため、保管庫１０は、ＣＤ−ＲＯＭ１０２や鍵１１２などの被保管物を近接させた状態で収容して収納効率を高める場合でも、電極２８が特定の接触式ＩＣチップ９０に接触してデータを個別に読み込むことができ、被保管物を管理することができる。
【００７５】
ところで、保管庫１０では、被保管物の入出庫時に、接触式ＩＣチップ９０に設けられた第１接点９６と第２接点９７とが電極２８に適切に接触しないと、電極２８が接触式ＩＣチップ９０のデータを取得できず被保管物の入出庫を誤認識する恐れがある。この不具合を防ぐために、保管庫１０は、図１４に示すＩＣチップデータ読取り不良検出プログラム７３によって接触式ＩＣチップの読み取り不良を検出している。
【００７６】
すなわち、本実施形態の保管庫１０によれば、リミットスイッチ１０５が被保管物の有無を検出しており、電極２８が検出している被保管物と、リミットスイッチ１０５が検出している被保管物とが一致しないときに、接触式ＩＣチップの読み取り不良を判断するので（図１５のＳ１２０２：ＮＯ、Ｓ１２０７、Ｓ１２０８参照。）、被保管物管理に対する信頼性を高くすることができる。
【００７７】
また、本実施形態の保管庫１０によれば、リミットスイッチ１０５が被保管物の数を検出しており、電極２８が検出している被保管物の数と、リミットスイッチ１０５が検出している被保管物の数とが一致しないときに、接触式ＩＣチップ９０の読み取り不良を判断するので（図１５のＳ１２０２：ＮＯ、Ｓ１２０７、Ｓ１２０８参照。）、被保管物管理に対する信頼性を高くすることができる。
【００７８】
また、本実施形態の保管庫１０によれば、保管庫１０に保管されている全ての被保管物を被保管物記憶手段７４に記憶しており、操作パネル１３の収納スイッチ２３が操作されたときに、被保管物記憶手段７４が記憶する被保管物の数が増加しない場合、または、操作パネル１３の取出スイッチ２４が操作されたときに、被保管物記憶手段７４が記憶する被保管物の数が減少しないときに、接触式ＩＣチップ９０の読み取り不良を判断するので（図１５のＳ１２０３：ＹＥＳ、Ｓ１２０４：ＮＯ、Ｓ１２０５：ＹＥＳ、Ｓ１２０６：ＮＯ、Ｓ１２０７、Ｓ１２０８参照。）、被保管物管理に対する信頼性を高くすることができる。
【００７９】
また、本実施形態の保管庫１０によれば、保管庫１０に保管されている全ての被保管物を被保管物記憶手段７４に記憶しており、電子錠１４が開閉された後、被保管物記憶手段７４が記憶する被保管物の数が変化しないときに、接触式ＩＣチップ９０の読み取り不良を判断して、保管庫１０の使用権限の認証を行ったＩＣカード８０に対応するパソコン４
に対して、被保管物の数が変化しなかったことを、ＬＡＮなどのＬＡＮ２を介して通知するので（図１５のＳ１２０１：ＮＯ、Ｓ１２０８参照。）、ユーザが被保管物を入出庫して保管庫１０から離れた場合でも、被保管物が適切に入出庫されなかったことをユーザに知らせることができ、被保管物管理に対する信頼性を高くすることができる。
【００８０】
また、保管庫１０は、接触式ＩＣチップ９０の接触不良を防止する機械的構造を備える。
【００８１】
すなわち、本実施形態の保管庫１０は、例えば、接触式ＩＣチップ９０を電極２８Ｃに押し付けるようにケース１０１を押圧し、接触式ＩＣチップ９０を電極２８Ｃ側に付勢する付勢部材１０９を有しており、電極２８Ｃが接触式ＩＣチップ９０に確実に接触してデータを取得するので（図６参照。）、被保管物管理に対する信頼性を高めることができる。
【００８２】
また、本実施形態の保管庫１０は、電極２８が折り曲げられて付勢力を発生しており、例えば、ＣＤ−ＲＯＭ１０２や鍵１１２を保管庫１０に収納するときに、電極２８が自身の付勢力で第１接点９６と第２接点９７に擦れ、接触式ＩＣチップ９０に確実に接触してデータを取得するので（図６、図９参照。）、被保管物管理に対する信頼性を高めることができる。
【００８３】
（第２実施形態）
続いて、本発明の第２実施形態について図面を参照して説明する。図１６は、制御装置１０１７の電気ブロック図である。
本実施形態の保管庫は、扉１２の開閉状態を検出して接触式ＩＣチップ９０の接触不良を検出する点で第１実施形態と相違する。よって、ここでは、第１実施形態と相違する点を中心に説明し、共通する点については第１実施形態と同一符号を図面に付して説明を適宜省略する。
【００８４】
図１６に示すように、制御装置１０１７は、入出力ＩＦ６６が開閉状態検出用リミットスイッチ１２０１に接続されている。開閉状態検出用リミットスイッチ１２０１は、筐体１１に固設され、扉１２を閉じたときにオン状態にされ、扉１２を開いたときにオフ状態にされる。また、制御装置１０１７は、ＨＤＤ６４に接触式ＩＣチップデータ接触不良検出用プログラム１０７３が格納されている。
【００８５】
次に、被保管物の管理動作について図１７を参照しながら説明する。図１７は、図１６に示すＩＣチップデータ読取り不良検出プログラム１０７３を示すフロー図である。
「ＩＣチップデータ接触不良検出手段」の一例であるＩＣチップデータ読取り不良検出プログラム１０７３は、「保管庫開閉手段」の一例である開閉状態検出用リミットスイッチ１２０１から入力する信号に基づいて、扉１２が閉状態であるか否かを判断する。扉１２が閉じられている間は、ユーザが被保管物を保管庫に入出庫できず、被保管物の数が変化するはずがない。そこで、Ｓ１２２１において、保管庫１０の扉１２が閉じられているときに、被保管物記憶手段７４が記憶しているデータに変化があったか否かを判断する。データに変化がないと判断したときには、電極２８が第１接点９６と第２接点９７に接触して接触式ＩＣチップ９０からデータを取得できているので、そのまま処理を終了し、図１４のＳ１４へ進む。
【００８６】
一方、被保管物記憶手段７４が記憶しているデータに変化があった場合には、電極２８が接触式ＩＣチップ９０の第１接点９６と第２接点９７に適切に接触しなくなったと考えられる。例えば、ユーザがホルダ１１１を収容凹部１２０に押し込んでリミットスイッチ１０５Ａをオン状態にした後、扉１２を閉じたときに、ホルダ１１１の押し込みが浅いと
、扉１２を閉じた振動やリミットスイッチ１０５Ａの反発力などにより、ホルダ１１１が位置ずれすることががある。この場合、制御装置１０１７は、電極２８が第１接点９６と第２接点９７に接触しなくなり、被保管物が減少したと誤認識する恐れがある。そこで、Ｓ１２０７以降の処理を実行し、警報を出力する。Ｓ１２０７以降の処理については上述したので説明を割愛する。
【００８７】
従って、本実施形態の保管庫１０によれば、保管庫１０に保管されている全ての被保管物を被保管物記憶手段７４に記憶しておき、保管庫１０の扉１２を閉じているときに、電極２８が、全ての被保管物の各々に取り付けられた接触式ＩＣチップ９０を読み取って被保管物記憶手段７４に記憶しているが、例えば、電極２８がある被保管物に取り付けた第１接点９６と第２接点９７に接触しなくなり、被保管物記憶手段７４が記憶しているデータが書き換えられて変化すると、接触式ＩＣチップ９０の読み取り不良を判断するので（図１７のＳ１２２１、Ｓ１２０７、Ｓ１２０８参照。）、被保管物管理に対する信頼性を高くすることができる。
【００８８】
（第３実施形態）
続いて、本発明の第３実施形態について図面を参照して説明する。
本実施形態の保管庫は、コストを安価にできる点で、本発明のベストモードと言える。本実施形態の保管庫は、「ＩＣチップデータ読取り手段」の一例である接触電極１３０が接触式ＩＣチップ１３５のＩＣ側プラス電極端子１３７とＩＣ側マイナス電極端子１３８に接触したときに、ＩＣ側プラス電極端子１３７とＩＣ側マイナス電極端子１３８との間に流れる電流を利用してＬＥＤ１３６を点灯させることにより、接触式ＩＣチップ１３５のデータ読み取り状態を確認する点が第１実施形態と相違する。よって、ここでは、第１実施形態と相違する点を中心に説明し、共通する点については第１実施形態と同一符号を図面に付して説明を適宜省略する。
【００８９】
＜ハード構成＞
図１８は、接触状態検出システムの概略構成図である。図１８は保管庫の棚１４５だけを取り出して記載している。
保管庫の棚１４５は、底壁１４５ｂに背壁１４５ａが垂直に固定され、底壁１４５ｂに仕切板１４５ｃが位置調節可能に設けられている。背壁１４５ａには、接触電極１３０が固定されている。接触電極１３０は、水平方向に長く敷設され、複数のファイル１３４に設けられた接触式ＩＣチップ１３５が接触するようになっている。尚、棚１４５には、第１実施形態のようにリミットスイッチ１０５やＬＥＤ９８が設けられていない。一方、棚１４５には、ファイル１３４の入出庫を制限するための入出庫制限装置１０６が設けられているが、ここでは説明を省略する。
【００９０】
ファイル１３４は、取付シート１４２が貼り付けられている。取付シート１４２には、接触式ＩＣチップ１３５とＩＣ側プラス電極端子１３７（後述）とＩＣ側マイナス電極端子１３８（後述）とが接着剤などで固定され、既存のファイル１３４に接触式ＩＣチップ１３５を後付けできるようにされている。接触式ＩＣチップ１３５は、ＩＣ側プラス電極端子１３７とＩＣ側マイナス電極端子１３８に接続線１４０を介して接続されている。また、接続線１４０は、ファイル１３４の背表紙に接着剤などで固定されたＬＥＤ１３６にも接続している。尚、本実施形態では、ＩＣ側プラス電極端子１３７とＩＣ側マイナス電極端子１３８とが、特許請求の範囲に記載する「接触式ＩＣチップに設けられた２つの端子」を構成する。
【００９１】
図１９は、図１８のＡ部拡大断面図であり、接触式ＩＣチップ１３５と接触電極１３０との接触状態を示す。
接触電極１３０は、背壁１４５ａから突き出している。接触電極１３０は、絶縁部１３
１を挟んでプラス電極端子１３２とマイナス電極端子１３３を設けたサンドイッチ構造をなす。プラス電極端子１３２の先端部とマイナス電極端子１３３の先端部は、肉厚にされ、断面が外向きに張り出す半円状をなすストッパ１３２ａ、１３３ａが設けられている。
【００９２】
ＩＣ側プラス電極端子１３７とＩＣ側マイナス電極端子１３８は絶縁部１３９を挟んだサンドイッチ構造をなす。ＩＣ側プラス電極端子１３７とＩＣ側マイナス電極端子１３８は、端部を折り曲げられ、互いに近接する方向に向かってバネ性がもたせられている。以下の説明では、ＩＣ側プラス電極端子１３７とＩＣ側マイナス電極端子１３８が最も近接し、接触電極１３０に接触する部位を第１接点１３７ａと第２接点１３８ａという。ＩＣ側プラス電極端子１３７とＩＣ側マイナス電極端子１３８が弾性変形していない復帰状態では、第１接点１３７ａと第２接点１３８ａは接触電極１３０の厚さより小さい隙間を空け、不意な電流を接触式ＩＣチップ１３５に流さないようにしている。ＩＣ側プラス電極端子１３７とＩＣ側マイナス電極端子１３８は、第１接点１３７ａと第２接点１３８ａの先端部を外向きに折り曲げ、ガイド部１３７ｂとガイド部１３８ｂがそれぞれ設けられている。
【００９３】
図２０は、図１８に示す被保管物に設けられた電気回路を示す図である。
ＩＣ側プラス電極端子１３７は、抵抗１４１、ＬＥＤ１３６を介してＩＣ側マイナス電極端子１３８に接続している。接触式ＩＣチップ１３５は、ＬＥＤ１３６と並列に設けられている。
【００９４】
＜ファイルの返却動作＞
ユーザがファイル１３４を棚１４５に押し入れると、ＩＣ側プラス電極端子１３７のガイド部１３７ｂとＩＣ側マイナス電極端子１３８のガイド部１３８ｂとの間に接触電極１３０が挿入される。ガイド部１３７ｂ，１３８ｂがストッパ部１３２ａ、１３３ａにそれぞれ突き当たると、ファイル１３４に抵抗が生じる。ユーザがその抵抗に抗してファイル１３４を棚１４５に押し込むと、ＩＣ側プラス電極端子１３７とＩＣ側マイナス電極端子１３８は、第１接点１３７ａと第２接点１３８ａをストッパ部１３２ａ，１３３ａによって押し広げられ、外向きに弾性変形する。更にファイル１３４を棚１４５に押し込むと、第１接点１３７ａと第２接点１３８ａがストッパ部１３２ａ，１３３ａを乗り越え、プラス電極端子１３２とマイナス電極端子１３３に各々接触する。このとき、ストッパ部１３２ａ、１３３ａが半円状をなすため、ＩＣ側プラス電極端子１３７とＩＣ側マイナス電極端子１３８が第１接点１３７ａと第２接点１３８ａとに少しずつ外向きの力を加えられ、円滑に変形する。
【００９５】
ＩＣ側プラス電極端子１３７とＩＣ側マイナス電極端子１３８は、復帰状態における第１接点１３７ａと第２接点１３８ａの離間距離が接触電極１３０の厚さより小さい。そのため、ファイル１３４を返却する際には、ＩＣ側プラス電極端子１３７とＩＣ側マイナス電極端子１３８が互いに近づく方向の弾性力を発生する。その弾性力によって第１接点１３７ａと第２接点１３８ａが接触電極１３０に押し付けられ、接触電極１３０のプラス電極端子１３２とマイナス電極端子１３３に確実に擦れ合って接触する。なお、このとき、ストッパ１３２ａ，１３３ａが外向きに張り出し、ＩＣ側プラス電極端子１３７とＩＣ側マイナス電極端子１３８を引っ掛けており、ＩＣ側プラス電極端子１３７とＩＣ側マイナス電極端子１３８が接触電極１３０から外れにくい。
【００９６】
ＩＣ側プラス電極端子１３７とＩＣ側マイナス電極端子１３８が接触電極１３０のプラス電極端子１３２とマイナス電極端子１３３に接触すると、接触電極１３０を流れる電流が、接触電極１３０のプラス電極端子１３２からファイル１３４のＩＣ側プラス電極端子１３７、接触式ＩＣチップ１３５、ＩＣ側マイナス電極端子１３８を介して接触電極１３０のマイナス電極端子１３３へと流れるようになる。この電流により接触式ＩＣチップ１
３５が駆動する。接触式ＩＣチップ１３５は、接触電極１３０からファイル１３４の有無を問い合わせるシリアル信号を受信すると応答信号を接触電極１３０に出力する。制御装置１７は、接触電極１３０から応答信号を入力し、ファイル１３４が棚１４５に返却されたことを認識する。
【００９７】
図２０に示すように接触式ＩＣチップ１３５とＬＥＤ１３６は並列に設けられているため、ＩＣ側プラス電極端子１３７に供給された電流はＬＥＤ１３６側にも流れる。よって、ＬＥＤ１３６は、接触式ＩＣチップ１３５の駆動とほぼ同時に点灯する。
【００９８】
一方、ファイル１３４を棚１４５に十分に押し込んでおらず、第１接点１３７ａと第２接点１３８ａが接触電極１３０に接触しない場合には、接触電極１３０から接触式ＩＣチップ１３５に電流が流れない。そのため制御装置１７が接触電極１３０にファイル１３４を確認するためのシリアル信号を出力していても、接触式ＩＣチップ１３５が応答信号を接触電極１３０に出力しない。言い換えれば、接触電極１３０が接触式ＩＣチップ１３５からデータを読み取れない。この場合には、ユーザが借りたファイル１３４を棚１４５に返却したつもりでも、制御装置１７はファイル１３４を検出せず、当該ファイル１３４の返却を認識しない。
【００９９】
このとき、ＬＥＤ１３６にも電流が流れないため、ＬＥＤ１３６は消灯したままである。ユーザがファイル１３４の返却時にＬＥＤ１３６の消灯状態を見て、ＬＥＤ１３６を点灯させるまでファイル１３４を棚１４５に押し込み直すと、ＩＣ側プラス電極端子１３７とＩＣ側マイナス電極端子１３８が接触電極１３０に接触し、接触式ＩＣチップ１３５が駆動するようになる。これにより、接触電極１３０が接触式ＩＣチップ１３５からシリアル信号に対する応答信号を入力し、制御装置１７が接触式ＩＣチップ１３５の応答信号に基づいてファイル１３４の返却を認識することができる。
【０１００】
＜ファイルの貸出動作＞
ユーザが棚１４５に収納されるファイル１３４を取出方向に引っ張ると、ＩＣ側プラス電極端子１３７とＩＣ側マイナス電極端子１３８が第１接点１３７ａと第２接点１３８ａを接触電極１３０のストッパ部１３２ａ，１３３ａによって外向きに押圧されて外向きに弾性変形する。第１接点１３７ａと第２接点１３８ａがストッパ部１３２ａ、１３３ａを乗り越えて接触電極１３０に接触しなくなると、接触電極１３０から接触式ＩＣチップ１３５に電流が流れなくなる。これに伴って、ＬＥＤ１３６にも電流が流れなくなり、ＬＥＤ１３６が消灯する。
【０１０１】
＜ＬＥＤの故障に対する対応＞
ところで、ＬＥＤ１３６が故障している場合には、ユーザがファイル１３４を棚１４５に強く押し込み、接触式ＩＣチップ１３５を駆動させたとしても、ＬＥＤ１３６が消灯したままである。接触式ＩＣチップ１３５には、ＬＥＤ１３６の点灯状態を検出する点灯状態検出手段が備えられ、接触式ＩＣチップ１３５の駆動中にＬＥＤ１３６が点灯しないことを検出すると、ＬＥＤ１３６が故障したことを知らせる警告信号を接触電極１３０に出力する。制御装置１７は警告信号を接触電極１３０から入力すると、その旨をサーバ３に通知し、サーバ３から保管庫管理者にＬＥＤ１３６の故障を知らせる。
【０１０２】
通知を受けた保管庫管理者は、保管庫へ行って棚１４５のファイル１３４を確認し、ＬＥＤ１３６の交換等の対応を行う。これにより、長期に渡ってＬＥＤ１３６の故障状態が続かず、接触式ＩＣチップ１３５の接触状態を確認する信頼性を確保できる。
【０１０３】
＜作用効果＞
従って、本実施形態の保管庫は、接触電極１３０のプラス電極端子１３２とマイナス電
極端子１３３が、接触式ＩＣチップ１３５の第１接点１３７ａと第２接点１３８ａに接触すると（図１９参照）、プラス電極端子１３２からＩＣ側プラス電極端子１３７、接触式ＩＣチップ１３５、ＩＣ側マイナス電極端子１３８を介してマイナス電極端子１３３へと電流が流れる。その電流によって接触式ＩＣチップ１３５が駆動し、接触電極１３０が接触式ＩＣチップ１３５から応答信号などのデータを読み取ることができるようになる。このとき、ＩＣ側プラス電極端子１３７とＩＣ側マイナス電極端子１３８との間に流れる電流を利用してＬＥＤ１３６が点灯する。そのため、ユーザがＬＥＤ１３６の点灯を目安にファイル１３４を保管庫に収納することによって、接触電極１３０が接触式ＩＣチップ１３５の第１接点１３７ａと第２接点１３８ａに確実に接触して接触式ＩＣチップ１３５のデータを確実に読み取るようになり、ファイル１３４の入出庫を誤認識することなく被保管物を管理することが可能である。よって、本実施形態の保管庫によれば、ファイル管理（被保管物管理）に対する信頼性を高くすることができる。
【０１０４】
特に、本実施形態の保管庫は、他の実施形態のように、被保管物の有無検出や保管庫に保管されている被保管物の記憶、被保管物の数検出、扉１２の開閉検出などに要する装置やプログラムが不要である。よって、本実施形態の保管庫は、第１実施形態の保管庫に比べて構造を簡素化し、コストダウンを図ることができる。
【０１０５】
更に、本実施形態の保管庫は、ＬＥＤ１３６をファイル１３４の各々に設けているので、ＬＥＤ１３６を発光させるための電気回路構成を簡単にすることができる（図２０参照）。しかも、返却するファイル１３４自身にＬＥＤ１３６が設けられているので、ＬＥＤ１３６とファイル１３４との対応関係をいちいち確認する必要がなく、使い勝手が良い。
更に付け加えると、本実施形態の保管庫は、複数のファイル１３４が接触電極１３０を共有し、シリアル制御によって個々のファイル１３４を管理するようにしたので、ファイル１３４の返却位置が固定されず、使い勝手が良い。
【０１０６】
（第４実施形態）
続いて、本発明の第４実施形態について図面を参照して説明する。
本実施形態の保管庫は、複数のクリアファイル１５１を１つの収納箱１５２に入れて保管庫で管理する点で第３実施形態と相違する。よって、ここでは、第３実施形態と相違する点を中心に説明し、共通する点については第１実施形態と同一符号を図面に付して説明を適宜省略する。
【０１０７】
図２１は、接触状態検出システムの概略構成図である。
収納箱１５２は、一方に開口する箱状をなし、外側面に取付シート１４２を介して接触式ＩＣチップ１３５とＩＣ側プラス電極端子１３７とＩＣ側マイナス電極端子１３８と接続線１４０とが取り付けられている。また、収納箱１５２の外側面には、接続線１４０に接続するＬＥＤ１３６が取り付けられている。収納箱１５２には１０〜２０枚のクリアファイル１５１が収納される。収納箱１５２の上端縁には、接触電極１５３が上向きに突き出すように設けられ、クリアファイル１５１に設けたＩＣ側プラス電極端子１５９（後述）とＩＣ側マイナス電極端子１６０（後述）とに接触するようになっている。
【０１０８】
クリアファイル１５１は、取付シート１５７が貼り付けられている。取付シート１５７は、接触式ＩＣチップ１５８とＩＣ側プラス電極端子１５９（後述）とＩＣ側マイナス電極端子１６０（後述）とが接着剤などで固定されている。接触式ＩＣチップ１５８は、ＩＣ側プラス電極端子１５９（後述）とＩＣ側マイナス電極端子１６０（後述）とに接続線１６２を介して接続している。接続線１６２には、ＬＥＤ１６３が接続されている。ＬＥＤ１６３は、クリアファイル１５１が収納箱１５２から露出してユーザに見える位置に取り付けられている。
尚、接触式ＩＣチップ１５８とＩＣ側プラス電極端子１５９とＩＣ側マイナス電極端子
１６０とＬＥＤ１６３の回路構成は、図２０に示す回路構成と同様であるので説明を省略する。
【０１０９】
図２２は、図２１のＢ部拡大断面図である。
接触電極１５３は、絶縁部１５４を挟んでプラス側電極１５５とマイナス側電極１５６が設けられたサンドイッチ構造をなす。プラス側電極１５５とマイナス側電極１５６の先端部は、肉厚にされ、断面が外向きに張り出す半円状になるストッパ部１５５ａ、１５６ａが設けられている。
【０１１０】
ＩＣ側プラス電極端子１５９とＩＣ側マイナス電極端子１６０は絶縁部１６１を介して設けられ、サンドイッチ構造をなす。ＩＣ側プラス電極端子１５９は、クリアファイル１５１の縁に沿って配設できるように直角に折り曲げられている。これに対して、ＩＣ側マイナス電極端子１６０は略コの字型に折り曲げられ、開放端をＩＣ側プラス電極端子１５９に近づけるように折り曲げられ、ＩＣ側プラス電極端子１５９に近づく方向のバネ力を備える。以下の説明では、接触電極１５３が接触するＩＣ側プラス電極端子１５９の内側面を第１接点１５９ａといい、ＩＣ側マイナス電極端子１６０の接触電極１５３に接触する部分を第２接点１６０ａということにする。ＩＣ側プラス電極端子１５９とＩＣ側マイナス電極端子１６０とが弾性変形しない復帰状態では、第１接点１５９ａと第２接点１６０ａとの間隔が接触電極１５３の厚さより小さくされている。ＩＣ側マイナス電極端子１６０は、第２接点１６０ａより先端側が外向きに折り曲げられ、ガイド部１６０ｂが設けられている。
【０１１１】
尚、本実施形態では、接触電極１３０及び接触電極１５３が、特許請求の範囲の「ＩＣチップデータ読取り手段」をそれぞれ構成するものとする。
【０１１２】
＜クリアファイルの返却動作＞
ユーザが借りていたクリアファイル１５１を保管庫の棚１４５に戻す場合には、棚１４５から収納箱１５２を取り出し、ＩＣ側プラス電極端子１５９とＩＣ側マイナス電極端子１６０の間に接触電極１５３を挿入するようにクリアファイル１５１を収納箱１５２に入れる。そして、収納箱１５２を棚１４５に戻す。
【０１１３】
収納箱１５２のＩＣ側プラス電極端子１３７とＩＣ側マイナス電極端子１３８が接触電極１３０のプラス電極端子１３２とマイナス電極端子１３３に接触すると、接触電極１３０を流れる電流が、接触電極１３０のプラス電極端子１３２から収納箱１５２のＩＣ側プラス電極端子１３７、接触式ＩＣチップ１３５、ＩＣ側マイナス電極端子１３８を介して接触電極１３０のマイナス電極端子１３３へと流れる。これにより、接触式ＩＣチップ１３５が駆動する。また、収納箱１５２のＩＣ側プラス電極端子１３７とＩＣ側マイナス電極端子１３８との間に流れる電流は、収納箱１５２に設けられた接触電極１５３のプラス電極端子１５５からクリアファイル１５１のＩＣ側プラス電極端子１５９、接触式ＩＣチップ１５８、ＩＣ側マイナス電極端子１６０を介して接触電極１５３のマイナス電極端子１５６へも流れる。これにより、接触式ＩＣチップ１５８が駆動する。
【０１１４】
収納箱１５２の接触式ＩＣチップ１３５は、駆動後に、クリアファイル１５１の接触式ＩＣチップ１５８から接触電極１５３を介してクリアファイル１５１に関するデータを取得し、ＲＡＭ１５３に記憶しておく。そして、ファイル１５１の有無を問い合わせるシリアル信号を接触電極１３０から入力したときに、収納箱１５２に関するデータとともに、ＲＡＭ１５３に取得したクリアファイルに関するデータを接触電極１３０に出力する。制御装置１７は接触電極１３０からデータを入力すると、収納箱１５２を出し入れする前後のデータを比較し、返却されたクリアファイル１５１のデータが増加したことを認識する。これにより、制御装置１７は、貸し出されたクリアファイル１５１が返却されたことを
認識する。
【０１１５】
接触式ＩＣチップ１３５、１５８の駆動時には、ＬＥＤ１３６とＬＥＤ１６３が電流を供給され、点灯する。
【０１１６】
ところが、例えば、ＩＣ側プラス電極端子１５９とＩＣ側マイナス電極端子１６０がＬＥＤ１３６側にくるようにユーザがクリアファイル１５１を収納箱１５２に入れた場合には、ＬＥＤ１３６が点灯するように収納箱１５２を棚１４５に戻しても、ＬＥＤ１６３が点灯しない。ユーザは、ＬＥＤ１６３が点灯しない状況を見て、クリアファイル１５１に設けた接触式ＩＣチップ１５８の読み取り不良に気付き、クリアファイル１５１の収納状態を再確認する。この時点で、ユーザがクリアファイル１５１の収納方向が間違っていたことに気付き、クリアファイル１５１を収納箱１５２に正しく入れ直して収納箱を棚１４５に戻す。これにより、ＬＥＤ１６３が点灯し、ユーザはＩＣ側プラス電極端子１５９及びＩＣ側マイナス電極端子１６０と接触電極１５３との接触が良好になったことを確認できる。
【０１１７】
＜クリアファイルの貸出動作＞
ユーザが収納箱１５２を棚１４５から取出方向に引っ張ると、ＩＣ側プラス電極端子１３７とＩＣ側マイナス電極端子１３８が接触電極１３０から外れ、第１接点１３７ａと第２接点１３８ａがプラス電極端子１３２とマイナス電極端子１３３に接触しなくなる。これにより、ＩＣ側プラス電極端子１３７とＩＣ側マイナス電極端子１３８との間に電流が流れなくなり、接触式ＩＣチップ１３５が駆動しなくなる。
【０１１８】
これに伴って、収納箱１５２の接触電極１５３からクリアファイル１５１の接触式ＩＣチップ１５８に電流が流れなくなり、接触式ＩＣチップ１５８が駆動しなくなる。
【０１１９】
このように接触式ＩＣチップ１３５，１５８が駆動しなくなると、接触電極１５３が接触式ＩＣチップ１３５，１３８のデータを読み取らなくなる。このとき、収納箱１５２のＬＥＤ１３６とクリアファイル１５１のＬＥＤ１６３に電流が流れず、収納箱１５２のＬＥＤ１３６とクリアファイル１５１のＬＥＤ１６３が消灯する。
【０１２０】
ユーザが必要なクリアファイル１５１を収納箱１５２から取り出し、収納箱１５２を棚１４５に戻すと、収納箱１５２の接触式ＩＣチップ１３５が電流を供給されて駆動する。また、収納箱１５２に収納されているクリアファイル１５１の接触式ＩＣチップ１５８にも電流が流れ、接触式ＩＣチップ１５８が駆動する。収納箱１５２の接触式ＩＣチップ１３５は、クリアファイル１５１の接触式ＩＣチップ１５８から接触電極１５３を介してデータを取得し、接触電極１３０から入力したシリアル信号に応じてクリアファイル１５１の接触式ＩＣチップ１５８から取得したデータを接触電極１３０に出力する。制御装置１７は、接触電極１３０からデータを取得し、収納箱１５２に収納されているクリアファイル１５１を認識する。
【０１２１】
このとき、収納箱１５２から取り出して貸し出されたクリアファイル１５１については、収納箱１５２の接触式ＩＣチップ１３５がデータを取得していない。そのため、貸し出したクリアファイル１５１のデータは制御装置１７に認識されない。制御装置１７は、収納箱１５２の出し入れ前後のデータ変化に基づいて、データ認識できなくなったクリアファイル１５１を特定し、特定したクリアファイル１５１が貸し出されたことを認識する。
【０１２２】
＜ＬＥＤの故障＞
このようにクリアファイル１５１を入れ直してもＬＥＤ１６３が点灯しない場合には、ＬＥＤ１６３が故障している恐れがある。この場合には、クリアファイル１５１の接触式
ＩＣチップ１５８がＬＥＤ１６３の故障を検出して収納箱１５２の接触式ＩＣチップ１３５に第１ＬＥＤ異常信号を出力する。第１異常信号には、故障したＬＥＤ１６３が取り付けられたクリアファイル１５１を特定する情報が含まれる。
【０１２３】
第１ＬＥＤ異常信号は接触式ＩＣチップ１３５に入力される。接触式ＩＣチップ１３５は、第１ＬＥＤ異常信号に、収納箱１５２を識別する情報を含む第２ＬＥＤ異常信号を付加し、第１，第２ＬＥＤ異常信号を接触電極１３０に出力する。
【０１２４】
制御装置１７は、接触電極１３０から第１，第２ＬＥＤ異常信号を入力すると、その第１，第２ＬＥＤ異常信号に、故障したクリアファイル１５１を入れられた収納箱１５２を収納する棚１４５の位置、及び、保管庫の位置を識別する第３ＬＥＤ異常信号を付加し、第１〜第３ＬＥＤ異常信号をサーバ３に出力する。
【０１２５】
サーバ３は、第１〜第３ＬＥＤ異常信号を入力して解析し、保管庫管理者に、故障したＬＥＤ１６３を備えるクリアファイル１５１、そのクリアファイル１５１を収納する収納箱１５２の位置、その収納箱１５２を収納する棚１４５及び保管庫の位置などを特定した故障通知を作成する。そして、作成した故障通知を保管庫管理者のパソコン宛に送信する。故障通知を見た保管庫管理者は、故障通知の内容から故障したＬＥＤ１６３がある保管庫、棚１４５、収納箱１５２、クリアファイル１５１の位置を簡単に特定し、故障したＬＥＤ１６３の交換作業を行うことが可能である。
【０１２６】
＜作用効果＞
従って、本実施形態の保管庫は、接触電極１３０のプラス電極端子１３２とマイナス電極端子１３３がＩＣ側プラス電極端子１３７の第１接点１３７ａとＩＣ側マイナス電極端子１３８の第２接点１３８ａに接触すると、接触電極１３０からＩＣ側プラス電極端子１３７、接触式ＩＣチップ１３５、ＩＣ側マイナス電極端子１３８を介してマイナス電極端子１３３へ電流が供給される。この電流により接触式ＩＣチップ１３５が駆動する。このとき、収納箱５２のＬＥＤ１３６が棚１４５の接触電極１３０から供給された電流によって点灯する。
【０１２７】
また、保管庫の接触電極１３０から供給された電流は、収納箱１５２に設けられた接触電極１５３のプラス電極端子１５５からクリアファイル１５１のＩＣ側プラス電極端子１５９、接触式ＩＣチップ１５８、ＩＣ側マイナス電極端子１６０を介して収納箱１５２に設けられた接触電極１５３のマイナス電極端子１５６に流れる。この電流により接触式ＩＣチップ１５８が駆動する。このとき、クリアファイル１５１のＬＥＤ１６３が棚１４５の接触電極１３０から収納箱１５２の接触電極１５３を介して供給される電流によって点灯する。
【０１２８】
そのため、ユーザがＬＥＤ１３６の点灯を目安に収納箱１５２を保管庫の棚１４５に収納する他、ＬＥＤ１６３の点灯を目安にクリアファイル１５１を収納箱１５２に入れることによって、接触電極１３０が接触式ＩＣチップ１３５のデータと接触式ＩＣチップ１５８のデータを確実に読み取るようになり、クリアファイル１５１の入出庫を誤認識することなくクリアファイル１５１を管理することが可能である。よって、本実施形態の保管庫によれば、クリアファイル管理（被保管物管理）に対する信頼性を高くすることができる。特に、クリアファイル１５１のようにそれ自身では棚１４５に収納しにくいものであっても、収納箱１５２にまとめて入れて管理できる。
【０１２９】
また、本実施形態の保管庫によれば、個々のクリアファイル１５１にＬＥＤ１６３を設けているので、接触不良を生じているクリアファイル１５１をひと目で判別することができ、便利である。
【０１３０】
尚、本発明は、上記実施の形態に限定されることなく、色々な応用が可能である。
【０１３１】
例えば、上記実施形態では、ＩＣカード８０を読み取って本人認証をしたが、指紋認証、顔認証、静脈認証など本人を識別できるものであれば本人認証の手段を問わない。
【０１３２】
例えば、上記実施形態では、図８に示すようにホルダ１１１の下端面でリミットスイッチ１０５Ａを押すようにした。これに対して、図２３に示すように、リンク１１１８の後端部でリミットスイッチ１０５を押すようにしてもよい。この場合にも、図２３に示すように、スプリング１１１６を圧縮した状態でソレノイド１１１７をリンク１１１８に連結し、ソレノイド１１１７の駆動力を利用してリンク１１１８を図中時計方向及び反時計方向に回転させるように、入出庫制限装置１１０６を構成してもよい。
【０１３３】
例えば、上記実施形態では、第１接点９６と第２接点９７が装着シート１０３に接着され、ケース１０１の切欠部１０１ａ，１０１ａから露出するようにした。これに対して、図２４に示すように、板状の第１接点１０９６と第２接点１０９７を弓なりに撓らせた状態でケース１０１に装着してもよい。そして、棚１６に板状の電極１０２８を取り付け、第１接点１０９６と第２接点１０９７がもつ弾性力によって第１接点１０９６と第２接点１０９７が電極１０２８に擦れ合うようにしてもよい。
【０１３４】
例えば、上記実施形態では、リミットスイッチ１０５により被保管物の有無（数）を検出した。これに対して、図２５に示すように、保管庫１０の背面に光学センサ１１０５を取り付け、光学センサ１１０５から被保管物１０１に向かって検出光を照射し、その反射光を検出することにより被保管物の数（有無）を検出するようにしてもよい。
【０１３５】
例えば、上記実施形態では、入出庫制限手段１０６を被保管物毎に設けたが、棚１６に収容される被保管物を全体として或いはグループ毎にまとめて入出庫を制限するように入出庫制限手段１０６を設けてもよい。
【０１３６】
例えば、上記実施形態において、表示パネル２６に保管庫１０に収容されている被保管物の位置若しくはリストを表示して、ユーザに被保管物の管理状況をユーザに知らせるようにしてもよい。
【０１３７】
例えば、上記実施形態では、１個の保管庫１０に１個の制御装置１７を取り付けた。これに対して、図２６に示すように、複数（ここでは４個）の保管庫１０を１個の制御装置１０１７で制御するようにしてもよい。この場合、制御装置１０１７には、１個の操作パネル１０１３を取り付けるとよい。そして、図２７に示すように、保管庫１０Ａ，１０Ｂ，１０Ｃ，１０Ｄを特定する特定スイッチ１０２２１，１０２２Ｂ，１０２２Ｃ，１０２２Ｄを操作パネル１０１３に設け、ユーザが押した特定スイッチ１０２２に対応する保管庫１０を開閉許可するようにしてもよい。尚、図２７に示す操作パネル１０１３は、表示部２６やスピーカ２７がなく、安価に構成されている。この場合、ユーザが被保管物を入出庫したときに接触式ＩＣチップ１３５の接触不良が生じても、その場で警報を発することができない。しかし、制御装置１０１７がサーバ３に警報を出力し、サーバ３からパソコン４に警告メールを送信するようにすれば、接触式ＩＣチップ９０の接触不良をユーザに知らせることができる。
【０１３８】
例えば、上記第３，第４実施形態では、接触式ＩＣチップ接触時に流れる電流を利用して発光するＬＥＤを被保管物側に設けたが、保管庫側にＬＥＤを設けるようにしてもよい。
例えば、上記第３，第４実施形態では、複数の被保管物が共有するように保管庫に接触
電極１３０を設け、被保管物をシリアル制御したが、個々の被保管物に対応して接触電極１３０を設け、被保管物をパラレル制御してもよい。
例えば、上記第３，第４実施形態ではファイル１３４、収納箱１５２、クリアファイル１５１を被保管物の例に挙げたが、ＣＤ−ＲＯＭ、ＵＳＢメモリ、パソコンなどを被保管物とし、接触式ＩＣチップに流れる電流を利用して点灯するＬＥＤを取り付けるようにしてもよい。
【０１３９】
例えば、上記第４実施形態では、接触式ＩＣチップ１３５が接触式ＩＣチップ１５８からデータを取得して、それを接触電極１３０に出力するようにした。これに対して、接触電極１３０が接触電極１５３を介して接触式ＩＣチップ１５８に直接問い合わせ、接触式ＩＣチップ１５８から接触電極１５３を介して接触電極１３０に応答信号を出力するようにしてもよい。この場合、接触式ＩＣチップ１３５には、収納箱１５２に関するデータのみを接触電極１５３に出力する機能を持たせるだけでよくなり、プログラムの内容を単純にできる。
【図面の簡単な説明】
【０１４０】
【図１】本発明の第１実施形態に係る保管庫を含む保管庫ネットワークシステムの概略構成図である。
【図２】図１に示す保管庫の一例を示す外観斜視図であって、扉を閉じた状態を示す。
【図３】図２に示す保管庫の外観斜視図であって、扉を開いた状態を示す。
【図４】図２に示す操作パネルの正面図である。
【図５】ＣＤ−ＲＯＭのケースに接触式ＩＣチップを取り付けた例を示す図である。
【図６】ＣＤ−ＲＯＭを収容する棚の構造例を示す図である。
【図７】鍵に接触式ＩＣチップを取り付けた例を示す図である。
【図８】鍵を収容する棚の構造例である。
【図９】図８に示す電極の取付例を示す図である。
【図１０】図２に示す保管庫に取り付けられた制御装置の電気ブロック図である。
【図１１】図１０に示す被保管物利用履歴記憶手段のデータ構造を示す図である。
【図１２】ＩＣカードの電気ブロック図である。
【図１３】接触式ＩＣチップの電気ブロック図である。
【図１４】図１０に示す開閉許可プログラムのフロー図である。
【図１５】図１０に示すＩＣチップデータ読取り不良検出プログラムのフロー図である。
【図１６】本発明の第２実施形態に係る保管庫に取り付けられた制御装置の電気ブロックを示す図である。
【図１７】図１６に示すＩＣチップ読取り不良検出プログラムを示すフロー図である。
【図１８】本発明の第３実施形態に係る保管庫に設けられた接触状態検出システムの概略構成図である。
【図１９】図１８のＡ部拡大断面図である。
【図２０】図１８に示す被保管物に設けられた電気回路を示す図である。
【図２１】本発明の第４実施形態に係る保管庫に設けられた接触状態検出システムの概略構成図である。
【図２２】図２１のＢ部拡大断面図である。
【図２３】入出庫制限制限装置の変形例を示す図である。
【図２４】接触式ＩＣチップの取付変形例を示す図である。
【図２５】被保管物検出手段の変形例を示す図である。
【図２６】保管庫ネットワークシステムの変形例を示す図である。
【図２７】図２６に示すシステムで使用される操作パネルの変形例を示す図である。
【符号の説明】
【０１４１】
１  保管庫
２  ＬＡＮ
３  サーバ
４  パソコン
１３  操作パネル
１４  電子錠（保管庫開閉手段）
２１  カード読取り部（カード読取り手段）
２３  収納スイッチ
２４  取出スイッチ
２８  電極（ＩＣチップデータ読取り手段）
７２  開閉許可プログラム（開閉許可手段）
７３，１０７３  ＩＣチップデータ読取り不良検出プログラム（ＩＣチップデータ読取り不良検出手段、ＩＣチップデータ読取り不良通知手段）
９０  接触式ＩＣチップ
１０２  ＣＤ−ＲＯＭ（被保管物）
１０５  リミットスイッチ（被保管物有無検出手段、被保管物数検出手段）
１１２  鍵（被保管物）
１３０  接触端子（ＩＣチップデータ読取り手段）
１３５  接触式ＩＣチップ
１３６  ＬＥＤ
１３７  ＩＣチップ側プラス電極端子（端子）
１３８  ＩＣチップ側マイナス電極端子（端子）
１５３  接触端子（ＩＣチップデータ読取り手段）
１５８  接触式ＩＣチップ
１５９  ＩＣチップ側プラス電極端子（端子）
１６０  ＩＣチップ側マイナス電極端子（端子）
１６３  ＬＥＤ
【図１】
2007314348.tif 000003
【図２】
2007314348.tif 000004
【図３】
2007314348.tif 000005
【図４】
2007314348.tif 000006
【図５】
2007314348.tif 000007
【図６】
2007314348.tif 000008
【図７】
2007314348.tif 000009
【図８】
2007314348.tif 000010
【図９】
2007314348.tif 000011
【図１０】
2007314348.tif 000012
【図１１】
2007314348.tif 000013
【図１２】
2007314348.tif 000014
【図１３】
2007314348.tif 000015
【図１４】
2007314348.tif 000016
【図１５】
2007314348.tif 000017
【図１６】
2007314348.tif 000018
【図１７】
2007314348.tif 000019
【図１８】
2007314348.tif 000020
【図１９】
2007314348.tif 000021
【図２０】
2007314348.tif 000022
【図２１】
2007314348.tif 000023
【図２２】
2007314348.tif 000024
【図２３】
2007314348.tif 000025
【図２４】
2007314348.tif 000026
【図２５】
2007314348.tif 000027
【図２６】
2007314348.tif 000028
【図２７】
2007314348.tif 000029